(57)【特許請求の範囲】
【請求項１】
回転駆動されることで草を刈り取る回転ブレードと、
前記回転ブレードを回転駆動させるモータと、
前記回転ブレードを内部に収容するモーアデッキと、
前記モータに沿うように前記モーアデッキの内部と外部とを連通する空気の流路を形成する案内部材と、
を具備し、
前記案内部材は、
第一案内部材及び第二案内部材を含み、
前記第一案内部材は、
前記モーアデッキの上面に載置され、前記モータの側面を外側から囲むような円筒状、かつ前記モータの側面の上端と同じ高さに上端が位置するように形成され、前記モータの側面との間に、上方に向かって開口されると共に前記モータの側面に沿って空気を下方へと案内する前記空気の流路を形成し、
前記第二案内部材は、
前記モーアデッキの内部において前記上面に当接され、平面視において前記モータを外側から囲むような円筒状に形成され、
前記第一案内部材及び前記第二案内部材は、
前記上面を介して互いに固定されることによって、前記モーアデッキに固定される、
モーア。
【請求項２】
前記案内部材は、
前記モータの底面と対向するように配置され、前記空気の流路を介して前記モーアデッキの外部から内部へと空気を送るファンを含み、
前記ファンは、
板部及び前記板部の底面に固定された羽根を有し、前記板部及び前記モータの底面との間に前記空気の流路を形成している、
請求項１に記載のモーア。
【請求項３】
前記ファンは、
前記モータによって駆動される、
請求項２に記載のモーア。
【請求項４】
前記モータは、
側面から外側に向かって延びるように形成されると共に、外側の端部が前記第一案内部材と接触するように形成される少なくとも１つのフィンを具備する、
請求項１から請求項３までのいずれか一項に記載のモーア。
【発明の詳細な説明】
【技術分野】
【０００１】
本発明は、回転ブレードを回転駆動させるモータを具備するモーアの技術に関する。
【背景技術】
【０００２】
従来、回転ブレードを回転駆動させるモータを具備するモーアの技術は公知となっている。例えば、特許文献１に記載の如くである。
【０００３】
特許文献１には、回転ブレード（モアブレード）を内部に収容するモーアデッキ（モアデッキ）と、回転ブレードを回転駆動させるモータ（モアモータ）を具備するモーア（モアデッキユニット）が記載されている。モータは、ボルトによってモーアデッキの上面に固定される。このように構成されたモーアにおいて、モータを駆動させて回転ブレードを回転駆動させることで、草（芝）を刈り取ることができる。
【０００４】
このように構成されたモーアにおいては、回転ブレードを回転駆動させると、モータから熱が発生する。このため、発熱したモータを効率よく冷却することが可能なモーアが望まれている。
【先行技術文献】
【特許文献】
【０００５】
【特許文献１】特開２０１３−２１９２１号公報
【発明の概要】
【発明が解決しようとする課題】
【０００６】
本発明は以上の如き状況に鑑みてなされたものであり、その解決しようとする課題は、モータを効率よく冷却することが可能なモーアを提供することである。
【課題を解決するための手段】
【０００７】
本発明の解決しようとする課題は以上の如くであり、次にこの課題を解決するための手段を説明する。
【０００８】
即ち、請求項１においては、回転駆動されることで草を刈り取る回転ブレードと、前記回転ブレードを回転駆動させるモータと、前記回転ブレードを内部に収容するモーアデッキと、前記モータに沿うように前記モーアデッキの内部と外部とを連通する空気の流路を形成する案内部材と、を具備し、前記案内部材は、第一案内部材及び第二案内部材を含み、前記第一案内部材は、前記モーアデッキの上面に載置され、前記モータの側面を外側から囲むような円筒状、かつ前記モータの側面の上端と同じ高さに上端が位置するように形成され、前記モータの側面との間に、上方に向かって開口されると共に前記モータの側面に沿って空気を下方へと案内する前記空気の流路を形成し、前記第二案内部材は、前記モーアデッキの内部において前記上面に当接され、平面視において前記モータを外側から囲むような円筒状に形成され、前記第一案内部材及び前記第二案内部材は、前記上面を介して互いに固定されることによって、前記モーアデッキに固定されるものである。
【０００９】
請求項２においては、前記案内部材は、前記モータの底面と対向するように配置され、前記空気の流路を介して前記モーアデッキの外部から内部へと空気を送るファンを含み、前記ファンは、板部及び前記板部の底面に固定された羽根を有し、前記板部及び前記モータの底面との間に前記空気の流路を形成しているものである。
【００１０】
請求項３においては、前記ファンは、前記モータによって駆動されるものである。
【００１１】
請求項４においては、前記モータは、側面から外側に向かって延びるように形成されると共に、外側の端部が前記第一案内部材と接触するように形成される少なくとも１つのフィンを具備するものである。
【発明の効果】
【００１２】
本発明の効果として、以下に示すような効果を奏する。
【００１３】
本発明は、モーアデッキの外部から内部へと（又は、内部から外部へと）流通する空気によって、モータを効率よく冷却することができる。
また、モータの側面を効率よく冷却することができる。
【図面の簡単な説明】
【００１７】
【図１】草刈機の全体的な構成を示した側面図。
【図２】同じく、平面図。
【図３】第一実施形態に係るモーアの上部の上方分解斜視図。
【図４】同じく、モーアの下部の上方分解斜視図。
【図５】同じく、モーアの上部の下方分解斜視図。
【図６】同じく、モーアの下部の下方分解斜視図。
【図７】同じく、モーアの平面拡大図。
【図８】図７におけるＡ−Ａ断面図。
【図９】空気が流通する様子を示したＡ−Ａ断面図。
【図１０】草刈機の他の構成を示した側面図。
【発明を実施するための形態】
【００１８】
以下では、図中の矢印Ｕ、矢印Ｄ、矢印Ｆ、矢印Ｂ、矢印Ｌ及び矢印Ｒで示した方向を、それぞれ上方向、下方向、前方向、後方向、左方向及び右方向と定義して説明を行う。
【００１９】
まず、図１及び図２を用いて、モーア１００を具備する草刈機１の全体構成について説明する。
【００２０】
草刈機１は、走行しながら草（芝）を刈り取ることが可能な作業車両である。草刈機１は、主として走行機体２、前輪３、駆動輪４、走行用モータ５、運転座席６、保護フレーム７、走行レバー８、リンク機構９及びモーア１００を具備する。
【００２１】
走行機体２の前部は、従動輪（非駆動輪）である左右一対の前輪３・３に支持される。走行機体２の後部は、左右一対の駆動輪４・４に支持される。左右一対の駆動輪４・４の内側には、左右一対の走行用モータ５・５が配置される。左側の走行用モータ５は左側の駆動輪４に、右側の走行用モータ５は右側の駆動輪４に、それぞれ連結される。
【００２２】
走行機体２の前後中途部には、作業者が着座する運転座席６が設けられる。運転座席６の後方には、作業者を保護するための保護フレーム７が設けられる。運転座席６の左右には、左右一対の走行レバー８・８が設けられる。走行機体２の下部（前輪３と駆動輪４との間）には、リンク機構９を介してモーア１００が設けられる。
【００２３】
作業者は、走行レバー８・８を操作することによって、左右一対の走行用モータ５・５の回転をそれぞれ制御することができる。これによって、作業者は左右一対の駆動輪４・４をそれぞれ独立して任意に駆動させることができる。このように、作業者は走行レバー８・８を操作することによって、草刈機１を前後進させたり旋回させたりすることができる。また作業者は、モーア１００を駆動させることで、草刈作業（芝刈作業）を行うことができる。
【００２４】
次に、図３から図９までを用いて、本発明の第一実施形態に係るモーア１００の構成（特に、後述する作業用モータ１２０に関する構成）について説明する。
【００２５】
モーア１００は、その下方に生えた草を、所定の長さ（高さ）になるように刈り取る作業機である。モーア１００は、主としてモーアデッキ１１０、作業用モータ１２０、スペーサ１３０、ファン１４０、回転ブレード１５０、第一シュラウド１６０及び第二シュラウド１７０を具備する。
【００２６】
なお、以下では説明の便宜上、主にモーア１００の左端部近傍の構成についてのみ説明する。より具体的には、本実施形態に係るモーア１００は複数（３個）の作業用モータ１２０を備えているが（図２参照）、以下では最も左側に配置された作業用モータ１２０及びその周辺の構成についてのみ説明する。
【００２７】
図３から図８までに示すモーアデッキ１１０は、モーア１００の主たる構造体を成すものである。モーアデッキ１１０は、主として上面１１１及び側面１１２を具備する。
【００２８】
上面１１１は、略水平に形成される板状の部分である。上面１１１は、長手方向が左右方向を向くように形成される。側面１１２は、上面１１１の外周端部から下方に向かって延びるように形成される部分である。上面１１１と側面１１２は一体的に形成される。上面１１１と側面１１２との接続部分は、滑らかな曲面状になるように形成される。モーアデッキ１１０の内部には、上面１１１及び側面１１２によって上方及び側方から覆われた空間が形成される。上面１１１には、主として中心孔１１１ａ及び連通孔１１１ｂが形成される。
【００２９】
中心孔１１１ａは、上面１１１を上下に貫通するように形成される孔である。中心孔１１１ａは、平面視円形状に形成される。
【００３０】
連通孔１１１ｂは、上面１１１を上下に貫通するように形成される孔である。連通孔１１１ｂは、中心孔１１１ａの周囲に複数（本実施形態においては、８個）形成される。連通孔１１１ｂは、中心孔１１１ａを中心とする円周上に沿って、等間隔に形成される。
【００３１】
図３、図５、図７及び図８に示す作業用モータ１２０は、電力を用いて後述する回転ブレード１５０を回転駆動させるものである。作業用モータ１２０は、主としてハウジング１２１、シャフト１２２、ロータ１２３及びステータ１２４を具備する。
【００３２】
ハウジング１２１は、作業用モータ１２０の主たる構造体を成すものである。ハウジング１２１は、主として本体部１２１ａ、上部１２１ｂ及び下部１２１ｃを具備する。
【００３３】
本体部１２１ａは、軸線を上下方向に向けた略円柱状に形成される。本体部１２１ａの直径は、モーアデッキ１１０の連通孔１１１ｂが形成された円周の直径よりも小さくなるように形成される。
【００３４】
上部１２１ｂ及び下部１２１ｃは、軸線を上下方向に向けた略円柱状に形成される。上部１２１ｂは、本体部１２１ａの上面に一体的に形成される。下部１２１ｃは、本体部１２１ａの底面に一体的に形成される。上部１２１ｂ及び下部１２１ｃは、本体部１２１ａの軸線上に形成される。下部１２１ｃの直径は、モーアデッキ１１０の中心孔１１１ａの直径と略同一となるように形成される。
【００３５】
このように形成された筐体であるハウジング１２１の内部には、各種の部材を配置するための空間が形成される。ハウジング１２１には、フィン１２１ｄが形成される。
【００３６】
フィン１２１ｄは、略矩形板状に形成される部分である。フィン１２１ｄは、本体部１２１ａの上端から下端に亘るように形成される。フィン１２１ｄは、本体部１２１ａの側面に複数（本実施形態においては、８個）形成される。フィン１２１ｄは、本体部１２１ａの側面から外側に向かって放射状に延びるように形成される。フィン１２１ｄを形成することによって、ハウジング１２１の表面積を増加させることができる。
【００３７】
図５及び図８に示すシャフト１２２は、作業用モータ１２０の回転動力を出力するための部材である。シャフト１２２は、軸線を上下方向に向けた状態でハウジング１２１の中心（ハウジング１２１の軸線上）に配置される。シャフト１２２の下端部は、ハウジング１２１の底面から下方に向かって突出するように配置される。シャフト１２２は、ハウジング１２１の内部に配置された上下一対のベアリング１２２ａによって回転可能に支持される。
【００３８】
図８に示すロータ１２３は、シャフト１２２と共に回転可能な界磁（又は、電機子）である。ロータ１２３は、ハウジング１２１内に配置される。ロータ１２３は、シャフト１２２の上下中途部に固定され、当該シャフト１２２と共に回転することができる。
【００３９】
ステータ１２４は、ハウジング１２１内に固定される電機子（又は、界磁）である。ステータ１２４は、ハウジング１２１内において、ロータ１２３を側方から囲むように配置される。
【００４０】
このように構成された作業用モータ１２０は、モーアデッキ１１０の上面１１１上に載置される。作業用モータ１２０は、当該作業用モータ１２０の軸線が、モーアデッキ１１０の中心孔１１１ａの中心と一致するように配置される。この際、ハウジング１２１の下部１２１ｃはモーアデッキ１１０の中心孔１１１ａに挿通される。これによって、下部１２１ｃの下端はモーアデッキ１１０の内部（モーアデッキ１１０の上面１１１よりも下方）に位置する。作業用モータ１２０のシャフト１２２の下端部は、中心孔１１１ａを介してモーアデッキ１１０の内部に向けて突出する。このような作業用モータ１２０において、ロータ１２３又はステータ１２４に電流を流して励磁することによって、シャフト１２２を回転させ、回転動力を得ることができる。
【００４１】
図４、図６及び図８に示すスペーサ１３０は、作業用モータ１２０のシャフト１２２から出力される回転動力を、当該シャフト１２２よりもさらに下方へと伝達するものである。スペーサ１３０は、主としてハウジング１３１、フランジ１３２、軸継手１３３及びシール部材１３４を具備する。
【００４２】
ハウジング１３１は、スペーサ１３０の主たる構造体を成すものである。ハウジング１３１は、軸線を上下方向に向けた略円筒状に形成される。
【００４３】
フランジ１３２は、略矩形板状の部分である。フランジ１３２は、略水平に配置される。フランジ１３２は、ハウジング１３１の上端部に固定される。
【００４４】
軸継手１３３は、作業用モータ１２０のシャフト１２２からの回転動力を伝達するものである。軸継手１３３は、軸線を上下方向に向けた略円筒状に形成される。軸継手１３３は、ハウジング１３１の中心（ハウジング１３１の軸線上）に配置される。軸継手１３３は、ハウジング１３１の内部に配置された上下一対のベアリング１３３ａによって回転可能に支持される。
【００４５】
シール部材１３４は、ハウジング１３１の下端部を適宜閉塞するものである。シール部材１３４によってハウジング１３１の下端部を閉塞することで、当該ハウジング１３１内への異物の混入を防止することができる。
【００４６】
このように構成されたスペーサ１３０は、モーアデッキ１１０の内部に配置される。スペーサ１３０は、当該スペーサ１３０の軸線（軸継手１３３の軸線）が、モーアデッキ１１０の中心孔１１１ａの中心と一致するように配置される。この状態で、スペーサ１３０のフランジ１３２は、モーアデッキ１１０の上面１１１にボルト等を用いて適宜固定される。この際、作業用モータ１２０のシャフト１２２の下端部は、スペーサ１３０の軸継手１３３の上端部に相対回転不能に連結される。これによって、軸継手１３３は、シャフト１２２と共に回転することができる。
【００４７】
ファン１４０は、内側から外側に向かって空気を送る（送風する）もの（遠心ファン）である。ファン１４０は、主として上板１４１、下板１４２及び羽根１４３を具備する。
【００４８】
上板１４１は、略円形板状に形成されるものである。上板１４１は、略水平に配置される。上板１４１には、中心孔１４１ａが形成される。
【００４９】
中心孔１４１ａは、上板１４１を上下に貫通するように形成される孔である。中心孔１４１ａは、平面視円形状に形成される。中心孔１４１ａは、上板１４１の中心に形成される。
【００５０】
下板１４２は、略円形板状に形成されるものである。下板１４２の直径は、上板１４１の直径よりも小さくなるように形成される。下板１４２は、上板１４１と平行（略水平）に配置される。下板１４２は、上板１４１から所定距離だけ離間した状態で、上板１４１の下方に配置される。下板１４２は、当該下板１４２の軸線が、上板１４１の軸線と一致するように配置される。下板１４２には、中心孔１４２ａ及びリブ１４２ｂが形成される。
【００５１】
中心孔１４２ａは、下板１４２を上下に貫通するように形成される孔である。中心孔１４２ａは、平面視円形状に形成される。中心孔１４２ａは、下板１４２の中心に形成される。下板１４２の中心孔１４２ａの直径は、上板１４１の中心孔１４１ａの直径よりも小さくなるように形成される。
【００５２】
リブ１４２ｂは、下板１４２の下面から下方に向かって突出するように形成される。リブ１４２ｂは、底面視において中心孔１４２ａを挟むように２つ形成される。当該２つのリブ１４２ｂは、底面視において互いに平行に延びるように形成される。
【００５３】
羽根１４３は、上板１４１と下板１４２との間で空気を移動させる（風を発生させる）ためのものである。羽根１４３は、略矩形板状の部材を適宜折り曲げて形成される。羽根１４３は、上板１４１と下板１４２とを連結するように、当該上板１４１及び下板１４２に固定される。羽根１４３は、上板１４１及び下板１４２の軸線の周囲に複数（本実施形態においては、８個）設けられる。
【００５４】
このように構成されたファン１４０は、モーアデッキ１１０の内部に配置される。ファン１４０は、当該ファン１４０の軸線がスペーサ１３０の軸線と一致するように配置される。この状態で、ファン１４０は、スペーサ１３０の下方から当該スペーサ１３０（軸継手１３３）に連結される。これによって、ファン１４０は、軸継手１３３と共に回転することができる。この際、スペーサ１３０のハウジング１３１の下部は、ファン１４０の上板１４１の中心孔１４１ａに挿通される。また、スペーサ１３０の下端（シール部材１３４）は、ファン１４０の下板１４２に当接される。
【００５５】
回転ブレード１５０は、回転駆動されることで草を刈り取るものである。回転ブレード１５０は、略矩形板状に形成される。回転ブレード１５０は、適宜折り曲げて形成され、回転する際に下から上に向かって空気を送る（送風する）ことができる。回転ブレード１５０の中心には、当該回転ブレード１５０を上下に貫通する貫通孔１５１が形成される。
【００５６】
このように構成された回転ブレード１５０は、モーアデッキ１１０の内部に配置される。回転ブレード１５０は、ファン１４０の下方から当該ファン１４０に形成された２つのリブ１４２ｂの間に嵌め込まれる。この状態で、回転ブレード１５０の下方から、座金１３６を介してボルト１３５がスペーサ１３０（軸継手１３３）に締結される。このようにして、作業用モータ１２０からの動力は、軸継手１３３を介してファン１４０及び回転ブレード１５０に伝達される。当該ファン１４０及び回転ブレード１５０は一体的に回転する。
【００５７】
図３、図５、図７及び図８に示す第一シュラウド１６０は、空気が流通する経路（空気の流路）を形成するものである。第一シュラウド１６０は、軸線を上下方向に向けた略円筒状に形成される。第一シュラウド１６０の内径は、作業用モータ１２０のハウジング１２１の直径よりも大きくなるように形成される。また第一シュラウド１６０の内径は、モーアデッキ１１０の連通孔１１１ｂが形成された円周の直径よりも大きくなるように形成される。第一シュラウド１６０の上下方向幅（高さ）は、作業用モータ１２０のハウジング１２１の上下方向幅と略同一となるように形成される。第一シュラウド１６０には、固定部１６１が形成される。
【００５８】
固定部１６１は、略矩形板状に形成される部分である。固定部１６１は、第一シュラウド１６０の下端に複数（本実施形態においては、３個）形成される。固定部１６１は、第一シュラウド１６０の下端から外側に向かって延びるように形成される。固定部１６１は、略水平に形成される。
【００５９】
このように構成された第一シュラウド１６０は、固定部１６１がモーアデッキ１１０の上面１１１に当接するようにして、当該上面１１１上に載置される。第一シュラウド１６０は、当該第一シュラウド１６０の軸線が作業用モータ１２０の軸線と一致するように配置される。これによって、第一シュラウド１６０は、作業用モータ１２０の側面との間に所定の間隔を空けた状態で配置される。すなわち、第一シュラウド１６０と作業用モータ１２０との間には、略円筒状の空間が形成される。この際、作業用モータ１２０のフィン１２１ｄの外側端部は、第一シュラウド１６０の内側面と接触するように配置される。
【００６０】
図４、図６、図７及び図８に示す第二シュラウド１７０は、空気の流路を形成するものである。第二シュラウド１７０は、軸線を上下方向に向けた略円筒状に形成される。第二シュラウド１７０の内径は、第一シュラウド１６０の内径よりも大きくなるように形成される。また、第二シュラウド１７０の外径は、ファン１４０の上板１４１の直径と略同一となるように形成される。第二シュラウド１７０の上下方向幅は、モーアデッキ１１０の上面１１１とファン１４０の上板１４１との間の距離と略同一となるように形成される。第二シュラウド１７０には、固定部１７１が設けられる。
【００６１】
固定部１７１は、軸線を上下方向に向けた略円柱状に形成される部材である。固定部１７１は、第二シュラウド１７０の外側面の上端に複数（本実施形態においては、３個）設けられる。固定部１７１は、平面視において第一シュラウド１６０の固定部１６１と重複する位置にそれぞれ設けられる。固定部１７１は、第二シュラウド１７０の上端から上方に向かって突出するように配置される。固定部１７１の上端部には、雄ネジ部（不図示）が形成される。
【００６２】
このように構成された第二シュラウド１７０は、モーアデッキ１１０の内部に配置される。第二シュラウド１７０は、当該第二シュラウド１７０の軸線がスペーサ１３０の軸線と一致するように配置される。この状態で、第二シュラウド１７０は、モーアデッキ１１０の上面１１１に下方から当接される。この際、第二シュラウド１７０の固定部１７１の上端は、モーアデッキ１１０の上面１１１及び第一シュラウド１６０の固定部１６１にそれぞれ挿通される。当該固定部１７１には、第一シュラウド１６０の固定部１６１の上方からナット１７２が締結される。これによって、第一シュラウド１６０及び第二シュラウド１７０がモーアデッキ１１０に固定される。なお、第二シュラウド１７０がモーアデッキ１１０に固定された後に、ファン１４０及び回転ブレード１５０がスペーサ１３０に固定される。
【００６３】
このように構成されたモーア１００においては、モーアデッキ１１０の内部と外部とを連通する空気の流路が形成される。以下では、当該流路を流通する空気の様子について説明する。
【００６４】
作業用モータ１２０が駆動されると、当該作業用モータ１２０の回転動力によってファン１４０及び回転ブレード１５０が回転駆動される。当該ファン１４０及び回転ブレード１５０が回転することによって、モーアデッキ１１０の外部から内部へと空気が流通する。
【００６５】
具体的には、図９に示すように、モーアデッキ１１０の外部（モーアデッキ１１０の上方）の空気は、作業用モータ１２０のハウジング１２１の側面と第一シュラウド１６０との間の空間を上方から下方に向かって流通する。この際、作業用モータ１２０のそばを流通する空気によって当該作業用モータ１２０（ハウジング１２１の側面）が冷却される。また、ハウジング１２１の側面にはフィン１２１ｄ（図７等参照）が形成されているため、当該フィン１２１ｄが形成されない場合に比べてハウジング１２１の表面積が増加している。このため、流通する空気によって当該ハウジング１２１を効果的に冷却することができる。また、当該フィン１２１ｄは第一シュラウド１６０に接触している。このため、当該フィン１２１ｄ及び第一シュラウド１６０を介してモーアデッキ１１０の外部へと作業用モータ１２０の熱を放熱することができ、ひいては当該作業用モータ１２０を効果的に冷却することができる。
【００６６】
ハウジング１２１の側面と第一シュラウド１６０との間の空間を下方へと流通した空気は、モーアデッキ１１０の連通孔１１１ｂを介して当該モーアデッキ１１０の内部へと流入する。当該空気は、モーアデッキ１１０の上面１１１、第二シュラウド１７０及びファン１４０の上板１４１によって囲まれた空間を、内側（作業用モータ１２０の軸線に近づく方向）に向かって流通する。この際、モーアデッキ１１０のそばを流通する空気が当該モーアデッキ１１０の上面１１１を介して作業用モータ１２０（ハウジング１２１の底面）を冷却する。特に本実施形態においては、作業用モータ１２０の一部（ハウジング１２１の下部１２１ｃの下端）がモーアデッキ１１０の内部に配置される。これによって、当該作業用モータ１２０を、モーアデッキ１１０の内部の風によって効果的に冷却することができる。
【００６７】
上面１１１、第二シュラウド１７０及び上板１４１によって囲まれた空間を内側へと流通した空気は、当該上板１４１の中心孔１４１ａを介して当該上板１４１と下板１４２との間の空間へと流入する。当該空気は、回転するファン１４０の羽根１４３によって外側へと送られる。
【００６８】
このように、モーア１００においては、作業用モータ１２０の側面及び底面に沿うように空気の流路が形成されているため、当該作業用モータ１２０を効果的に冷却させることができる。また、モーアデッキ１１０の内部の空気に比べて、異物（刈り取られた草（芝）や粉塵等）が少ないモーアデッキ１１０の外部の空気を用いて作業用モータ１２０を冷却することができる。このため、空気の流路に前記異物が詰まりにくく、冷却性能の低下を抑制することができる。
【００６９】
以上の如く、本実施形態に係るモーア１００は、
回転駆動されることで草を刈り取る回転ブレード１５０と、
回転ブレード１５０を回転駆動させる作業用モータ１２０（モータ）と、
回転ブレード１５０を内部に収容するモーアデッキ１１０と、
作業用モータ１２０に沿うようにモーアデッキ１１０の内部と外部とを連通する空気の流路を形成する第一シュラウド１６０（案内部材）と、
を具備するものである。
このように構成することにより、モーアデッキ１１０の外部から内部へと流通する空気によって、作業用モータ１２０を効率よく冷却することができる。これによって、作業用モータ１２０の出力の低下を抑制することができる。
【００７０】
また、第一シュラウド１６０は、
作業用モータ１２０の側面と対向するように配置されるものである。
このように構成することにより、作業用モータ１２０の側面を効率よく冷却することができる。
【００７１】
また、作業用モータ１２０は、
側面から外側に向かって延びるように形成されると共に、外側の端部が第一シュラウド１６０と接触するように形成される少なくとも１つのフィン１２１ｄを具備するものである。
このように構成することにより、作業用モータ１２０の表面積を増加させることができ、当該作業用モータ１２０を効率よく冷却することができる。また、フィン１２１ｄ及び第一シュラウド１６０を介して放熱することができ、作業用モータ１２０をより効率よく冷却することができる。
また、フィン１２１ｄを第一シュラウド１６０に接触させることで、当該第一シュラウド１６０の変形や破損の発生を抑制することができる。
【００７２】
また、モーア１００は、
モーアデッキ１１０の外部から内部へと空気を送るファン１４０をさらに具備するものである。
このように構成することにより、空気の流量を増加させることができ、作業用モータ１２０をより効率よく冷却することができる。
【００７３】
また、ファン１４０は、
作業用モータ１２０によって駆動されるものである。
このように構成することにより、ファン１４０を駆動するための駆動源を別途設ける必要がない。
【００７４】
なお、本実施形態に係るモーア１００は本発明に係るモーアの実施の一形態であり、本発明の技術的思想の範囲内で、各部の具体的な構成を任意に変更することが可能である。
【００７５】
また、モーア１００に設けられる作業用モータ１２０の個数は特に限定するものではない。また、１つの作業用モータ１２０で複数の回転ブレード１５０を回転駆動させる構成とすることも可能である。
【００７６】
また、フィン１２１ｄの個数は特に限定するものではない。フィン１２１ｄの個数を増やすことで、作業用モータ１２０（ハウジング１２１）の表面積を増加させることができる。
【００７７】
また、モーア１００にファン１４０を設けない構成とすることも可能である。この場合、回転ブレード１５０の回転に伴って、空気を流通させることができる。
【００７８】
また、ファン１４０は、作業用モータ１２０の下方に限らず、任意の位置に配置することが可能である。例えば、作業用モータ１２０の上方に配置し、下方（モーアデッキ１１０の内部）に向かって空気を送る構成とすることも可能である。
【００７９】
なお、本発明に係るモーアが設けられる草刈機の構成は、上述の草刈機１（図１及び図２参照）に限るものではない。すなわち、本発明に係るモーアは、乗用型（作業者が搭乗して草刈作業を行うもの）、非乗用型（作業者が搭乗せずに草刈作業を行うもの）に限らず、任意に構成された種々の草刈機に適用することが可能である。また、本発明に係るモーアは、電力によって走行する（電動の）草刈機にも、エンジンの動力によって走行する草刈機にも適用することが可能である。
【００８０】
例えば、図１０に示すように、作業者が着座することなく、立った状態で搭乗する草刈機１０にモーア（図１０においては、モーア１００を例示している）を適用しても良い。当該草刈機１０は、走行機体１１、原動部１２、駆動輪１３、搭乗部１４、従動輪１５、ハンドル１６及びモーア１００を具備する。
【００８１】
走行機体１１は、左右一対の駆動輪１３によって支持される。走行機体１１には、左右一対の駆動輪１３を駆動するための原動部１２が設けられる。走行機体１１の後部には、作業者が立った状態で搭乗する搭乗部１４が連結される。搭乗部１４の後部には、左右一対の従動輪１５が設けられる。走行機体１１の上部には、ハンドル１６が上方に向かって延びるように設けられる。走行機体１１の前部にはモーア１００が連結される。
【００８２】
このように構成された草刈機１０において、作業者は搭乗部１４に乗ってハンドル１６を手で掴むことで、草刈機１０に安定して搭乗することができる。作業者は、所定の操作（例えば、ハンドル１６を前後又は左右に揺動させる、作業者自身の重心を移動させる等）を行うことで、左右一対の駆動輪１３をそれぞれ独立して駆動させ、草刈機１０を任意に走行させることができる。
【符号の説明】
【００８３】
１００    モーア
１１０    モーアデッキ
１２０    作業用モータ
１２１ｄ  フィン
１４０    ファン
１５０    回転ブレード
１６０    第一シュラウド
１７０    第二シュラウド
【図１】
0006322061.tif 000002
【図２】
0006322061.tif 000003
【図３】
0006322061.tif 000004
【図４】
0006322061.tif 000005
【図５】
0006322061.tif 000006
【図６】
0006322061.tif 000007
【図７】
0006322061.tif 000008
【図８】
0006322061.tif 000009
【図９】
0006322061.tif 000010
【図１０】
0006322061.tif 000011